(57)【要約】      （修正有）【課題】物品自動販売機のネットワークインタラクティブシステムを提供する。【解決手段】管理サーボ装置５０と、少なくとも１つの携帯装置３０と、少なくとも１つの物品自動販売機１０とを備える。物品自動販売機１０にはルーター４０を介してインターネットに接続されるネットワークモジュール１８が設置される設計により、プレーヤーの携帯装置３０によりバックエンドのための管理サーボ装置５０から転送されるデータが取得された後、物品自動販売機１０内に入力され、且つ物品自動販売機１０がインターネットを通して取得したデータと比較された後、プレーヤーの消費データがネットワークモジュール１８を通して管理サーボ装置５０或いはプレーヤーの携帯装置３０に送信される。【選択図】図１
0003207500.tif 000002
【実用新案登録請求の範囲】
【請求項１】
インターネットを通して相互に接続される少なくとも１つの物品自動販売機と、少なくとも１つの携帯装置と、管理サーボ装置とを備える物品自動販売機のネットワークインタラクティブシステムであって、
これら前記物品自動販売機は処理モジュールを有し、前記処理モジュールにはプレーヤーが支払いを行うための課金モジュールが接続され、前記処理モジュールには物品取り出しモジュールが更に接続され、且つ前記処理モジュールにより物品取り出しモジュールの制御モジュールが制御され、また、処理モジュールには物品の取り出しを検出させるための落下物体検出モジュールが更に接続され、処理モジュールにはネットワークモジュールが接続され、且つネットワークモジュールはルーターを介してインターネットに接続される接続ポートを有し、また、物品自動販売機にはラベルユニットが設置され、前記物品自動販売機の個体の識別を行い、
各前記携帯装置は起動モジュール及びワイヤレス送信モジュールを含み、起動モジュールは本システムのアプリケーションプログラムであり、起動モジュールに接続されるワイヤレス送信モジュールは、インターネットに接続されて消費データの受信を行い、
なお、前記管理サーボ装置は制御モジュールと、保存モジュールと、転送モジュールとを備え、制御モジュールはバックエンドに用いられる管理プログラムであり、保存モジュールと共に消費データの管理を行い、前記制御モジュールは転送モジュールに接続され、且つ前記転送モジュールは接続ポートによりルーターに接続され、インターネットに接続されることで携帯装置及び物品自動販売機に接続されるために使用されることを特徴とする物品自動販売機のネットワークインタラクティブシステム。
【請求項２】
前記課金モジュールは少なくとも１つのコイン投入ユニット、または少なくとも１つのカード読み取りユニット、若しくは少なくとも１つの仮想支払いユニット、或いはこれらの内の少なくとも何れかの２つの組み合わせを有し、プレーヤーが消費したものの支払いを行うことを特徴とする、請求項１に記載の物品自動販売機のネットワークインタラクティブシステム。
【請求項３】
前記落下物体検出モジュールは短距離のＲＦＩＤ読み取り機であり、各物品には読み取りのためのＲＦＩＤラベルユニットが設置され、物品が挟み取られたことが検出されることを特徴とする、請求項１に記載の物品自動販売機のネットワークインタラクティブシステム。
【請求項４】
前記物品自動販売機及び管理サーボ装置のルーターは有線方式[イーサネット]であることを特徴とする、請求項１に記載の物品自動販売機のネットワークインタラクティブシステム。
【請求項５】
前記物品自動販売機及び管理サーボ装置のルーターはワイヤレス方式[Ｗｉ‐Ｆｉ]であり、インターネットに接続されることを特徴とする、請求項１に記載の物品自動販売機のネットワークインタラクティブシステム。
【考案の詳細な説明】
【技術分野】
【０００１】
本考案は、物品自動販売機のネットワークインタラクティブシステムに関する。
【背景技術】
【０００２】
物品自動販売機は種類が多く、ドリンク販売機、セルフ式コインランドリー、セルフ式乾燥機、証明写真機、またはＵＦＯキャッチャー等がある。
【考案の概要】
【考案が解決しようとする課題】
【０００３】
しかしながら、一般的な物品自動販売機はコイン投入方式によりゲームを行い、毎回のゲームデータは統計を図れないため、会員に対する有効的なマーケティングを行えず、プレーヤーのゲームに対する興味が失われやすく、これが物品自動販売機市場に対してダメージを与えていた。さらに、店主にとっては、物品自動販売機の販売状況を有効的に管理できないため、作業員が不当に商品を交換して損失を被ることもある。なお、コインを投入しなければ操作できないため、店主がプレーヤーに無料で試遊させることができなかった。換言すれば、現在の物品自動販売機は、遊び方が単純であり、宣伝広告及び販売促進活動が行えない。そこで、本考案者は上記の欠点が改善可能と考え、鋭意検討を重ねた結果、合理的設計で上記の課題を効果的に改善する本考案の提案に到った。
【０００４】
本考案は、以上の従来技術の課題を解決する為になされたものである。即ち、本考案は、物品自動販売機のネットワークインタラクティブシステムを提供することを主目的とする。すなわち、物品自動販売機はインターネットを通して消費及び認証データを転送させ、バックエンドで管理を行い、新たな遊び方を更に創造し、より多くのプレーヤーの興味を惹く。
【０００５】
また、本考案の他の目的は、物品自動販売機のネットワークインタラクティブシステムを提供することにあり、物品自動販売機がプレーヤーの各回のゲームデータを管理サーボ装置に転送させ、プレーヤー個人のゲームデータを累積させることで、報奨の根拠とし、プレーヤーに無料で試遊させることで、宣伝広告及び販売促進活動を行えるようにする。
【課題を解決するための手段】
【０００６】
上述した課題を解決し、目的を達成するために、本考案に係る物品自動販売機のネットワークインタラクティブシステムは、インターネットを通して相互に接続される少なくとも１つの物品自動販売機と、少なくとも１つの携帯装置と、管理サーボ装置とを備え、これら前記物品自動販売機は処理モジュールを有し、前記処理モジュールにはプレーヤーが支払いを行うための課金モジュールが接続され、前記処理モジュールには物品取り出しモジュールが更に接続され、且つ前記処理モジュールにより物品取り出しモジュールの制御モジュールが制御され、また、処理モジュールには物品の取り出しを検出させるための落下物体検出モジュールが更に接続され、処理モジュールにはネットワークモジュールが接続され、且つネットワークモジュールはルーターを介してインターネットに接続される接続ポートを有し、また、物品自動販売機にはラベルユニットが設置され、前記物品自動販売機の個体の識別を行い、
各前記携帯装置は起動モジュール及びワイヤレス送信モジュールを含み、起動モジュールは本システムのアプリケーションプログラムであり、起動モジュールに接続されるワイヤレス送信モジュールは、インターネットに接続されて消費データの受信を行い、
なお、前記管理サーボ装置は制御モジュールと、保存モジュールと、転送モジュールとを備え、制御モジュールはバックエンドに用いられる管理プログラムであり、保存モジュールと共に消費データの管理を行い、前記制御モジュールは転送モジュールに接続され、且つ前記転送モジュールは接続ポートによりルーターに接続され、インターネットに接続されることで携帯装置及び物品自動販売機に接続されるために使用されることを特徴とする。
【図面の簡単な説明】
【０００７】
【図１】本考案の第１実施形態に係る物品自動販売機のネットワークインタラクティブシステムを示す構成図であって、各部材の形態及び関連関係を説明する。
【図２】本考案の物品自動販売機のネットワークインタラクティブシステムにおける物品自動販売機を示す外観斜視図である。
【考案を実施するための形態】
【０００８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【０００９】
（第１実施形態）
図１は本考案の物品自動販売機のネットワークインタラクティブシステムを示す構成図であり、インターネットを通して相互に接続される少なくとも１つの物品自動販売機１０と、少なくとも１つの携帯装置３０と、管理サーボ装置５０とを備える。物品自動販売機１０及び携帯装置３０はそれぞれ管理サーボ装置５０に対してデータの送受信を行い、同時に管理サーボ装置５０を利用してバックエンドでの管理を行う。プレーヤー及び物品自動販売機１０の消費データの管理が便利になり、宣伝広告及び販売促進を行いやすくなる。
【００１０】
上述の物品自動販売機１０はＵＦＯキャッチャー、ドリンク販売機、セルフ式コインランドリー、セルフ式乾燥機、証明写真機等の物品自動販売機であり、本考案では人形を掴み取るＵＦＯキャッチャーを例にする（図１及び図２参照）。また、これら前記物品自動販売機１０は、課金モジュール１２が接続される処理モジュール１１を有し、且つ前記課金モジュール１２は少なくとも１つのコイン投入ユニット１２１を有し、プレーヤーはコイン投入方式により消費した分の支払いを行う。また、前記課金モジュール１２はカード読み取りユニット１２２を備え、プレーヤーはプリペイドカード或いは優待カード方式により消費を行う。なお、課金モジュール１２は仮想支払いユニット１２３を更に含み、ワイヤレスネットワーク転送方式により消費した分の支払いを行う。このように、実物のコインを使わずとも、仮想マネー或いはギフト方式の支払いの概念によりインタラクティブにゲームを行える。また、前記処理モジュール１１には物品自動販売機１０に内設されて三次元的な移動を行う物品取り出しモジュール１３が接続され、物品を掴み取る空間１００内の物品２０に対応し、且つ前記処理モジュール１１により物品取り出しモジュール１３の制御モジュール１４が制御される。なお、処理モジュール１１には物品自動販売機１０に設置されて物品２０の取り出しを検出させるための落下物体検出モジュール１５が更に接続され、前記落下物体検出モジュール１５は従来の感触器、或いは短距離のＲＦＩＤ読み取り機である。本考案の落下物体検出モジュール１５にはＲＦＩＤ読み取り機を主とする実施形態が選択され、且つ各物品２０には読み取りに用いられるＲＦＩＤラベルユニット２５が設置され、掴み取られて落下した物品２０の検出を行う。更には、処理モジュール１１には消費及びゲーム状態の表示に使用される表示モジュール１６が更に接続され、且つ表示モジュール１６はデータを入力可能なタッチスクリーンでもよい。物品自動販売機１０にはラベルユニット１７が設置され、前記物品自動販売機１０の個体の識別に使用され、且つ前記ラベルユニット１７はＱＲコードラベル或いは表示モジュール１６に表示されるＱＲコードであり、プレーヤーは携帯装置３０を利用して読み取りを行う。また、処理モジュール１１にはネットワークモジュール１８が接続され、且つネットワークモジュール１８には接続ポート１９が電気的に接続され、ルーター４０に接続されることでインターネットに接続される。前記ルーター４０は有線方式[イーサネット]及びワイヤレス方式[Ｗｉ‐Ｆｉ]でインターネットに接続され、前記物品自動販売機１０の消費及びゲームのデータが遠隔の管理サーボ装置５０に転送され、且つ管理サーボ装置５０により物品自動販売機１０に対して送信されたデータが受信される。
【００１１】
なお、前述の携帯装置３０とは、アプリケーションプログラム[APP]がインストールされるスマートフォン、タブレット端末、或いは前述のアプリケーションプログラムが実行可能であればどのような装置でもよい。各前記携帯装置３０は起動モジュール３１と、メモリモジュール３２と、ネットワーク転送モジュール３５とを備える。より具体的には、前記起動モジュール３１とは、本システムが携帯装置３０にインストールされるアプリケーションプログラム[APP]を指し、プレーヤーの身元データ及び物品自動販売機１０の識別データの取得に用いられる。物品自動販売機１０の識別データの取得は物品自動販売機１０の表示モジュール１６に表示される識別コードの入力を含み、または前記携帯装置３０のカメラを利用した物品自動販売機１０の表示モジュール１６或いはラベルユニット１７に表示されるＱＲコードの識別コードの図形の撮影を含み、即ち、起動モジュール３１はプレーヤーがゲームを実行する際に、プレーヤーの身元及び携帯装置３０の認証を行い、プレーヤーが有する権限及び物品自動販売機１０の合否を取得した後、物品自動販売機１０に対してデータの受信或いは転送を行って、ゲームを開始する。メモリモジュール３２はプレーヤーの身元データ或いは管理サーボ装置５０から返信される消費データの保存に用いられる。また、ワイヤレス送信モジュール３５は管理サーボ装置５０により発信される消費データの受信に用いられ、携帯装置３０はワイヤレス送信モジュール３５によりプレーヤーの消費データを管理サーボ装置５０に転送させる。前記ワイヤレス送信モジュール３５は携帯電話の２Ｇ以上の通信プロトコルに準じ、インターネットに接続される。
【００１２】
また、前述の管理サーボ装置５０は制御モジュール５１と、保存モジュール５２と、転送モジュール５５とを備える。より具体的には、前記制御モジュール５１はバックエンドで用いられる管理プログラムやユーザーインターフェースであり、保存モジュール５２と共に各プレーヤー及び各物品自動販売機１０の消費データの収集、統計、管理及び管理者権限での操作を行う。保存モジュール５２は各プレーヤーの身元データ、各機台の識別データ及び各項目の管理データの保存に用いられる。また、転送モジュール５５は接続ポート５６を介してルーター４５に接続され、前記ルーター４５は有線方式[イーサネット]及びワイヤレス方式[Ｗｉ‐Ｆｉ]によりインターネットに接続され、各前記物品自動販売機１０或いは携帯装置３０によりネットワーク接続が形成され、データの受信或いは転送が行われる。
【００１３】
前述のように、前記物品自動販売機１０、携帯装置３０及び管理サーボ装置５０はネットワーク機能を利用して相互に接続され、プレーヤーの携帯装置３０のゲームデータがワイヤレスネットワークを通して管理サーボ装置に転送され、物品自動販売機１０はネットワークモジュール１８によりゲームデータを管理サーボ装置５０に転送させ、統合させて遠隔管理を行う。従来の技術に比べると、本考案が提供するネットワークインタラクティブシステムは、会員であるプレーヤー個人個人のゲームデータを累積させ、プレーヤーの各回のゲームデータが管理サーボ装置５０に転送されることで、店主が遠隔からデータの収集及び統計を行えるようになり、販売促進或いは報奨の根拠とできる。また、新しい遊び方を創造して、プレーヤーの興味を惹く。
【００１４】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１５】
１０  物品自動販売機
１１  処理モジュール
１２  課金モジュール
１２１  コイン投入ユニット
１２２  カード読み取りユニット
１２３  仮想支払いユニット
１３  物品取り出しモジュール
１４  制御モジュール
１５  落下物体検出モジュール
１６  表示モジュール
１７  ラベルユニット
１８  ネットワークモジュール
１９  接続ポート
２０  物品
２５  ＲＦＩＤラベルユニット
３０  携帯装置
３１  制御モジュール
３２  メモリモジュール
３５  ワイヤレス送信モジュール
４０  ルーター
４５  ルーター
５０  管理サーボ装置
５１  制御モジュール
５２  保存モジュール
５５  転送モジュール
５６  接続ポート
【図１】
0003207500.tif 000003
【図２】
0003207500.tif 000004
【手続補正書】
【提出日】平成28年8月12日(2016.8.12)
【手続補正１】
【補正対象書類名】実用新案登録請求の範囲
【補正対象項目名】全文
【補正方法】変更
【補正の内容】
【実用新案登録請求の範囲】
【請求項１】
インターネットを通して相互に接続される少なくとも１つの物品自動販売機と、少なくとも１つの携帯装置と、管理サーボ装置とを備える物品自動販売機のネットワークインタラクティブシステムであって、
これら前記物品自動販売機は処理モジュールを有し、前記処理モジュールにはプレーヤーが支払いを行うための課金モジュールが接続され、前記処理モジュールには物品取り出しモジュールが更に接続され、且つ前記処理モジュールにより物品取り出しモジュールの制御モジュールが制御され、また、処理モジュールには物品の取り出しを検出させるための落下物体検出モジュールが更に接続され、処理モジュールにはネットワークモジュールが接続され、且つネットワークモジュールはルーターを介してインターネットに接続される接続ポートを有し、また、物品自動販売機にはラベルユニットが設置され、前記物品自動販売機の個体の識別を行い、
各前記携帯装置は起動モジュール及びワイヤレス送信モジュールを含み、起動モジュールは本システムのアプリケーションプログラムであり、起動モジュールに接続されるワイヤレス送信モジュールは、インターネットに接続されて消費データの受信を行い、
なお、前記管理サーボ装置は制御モジュールと、保存モジュールと、転送モジュールとを備え、制御モジュールはバックエンドに用いられる管理プログラムであり、保存モジュールと共に消費データの管理を行い、前記制御モジュールは転送モジュールに接続され、且つ前記転送モジュールは接続ポートによりルーターに接続され、インターネットに接続されることで携帯装置及び物品自動販売機に接続されるために使用されることを特徴とする物品自動販売機のネットワークインタラクティブシステム。
【請求項２】
前記課金モジュールは少なくとも１つのコイン投入ユニット、または少なくとも１つのカード読み取りユニット、若しくは少なくとも１つの仮想支払いユニット、或いはこれらの内の少なくとも何れかの２つの組み合わせを有し、プレーヤーが消費したものの支払いを行うことを特徴とする、請求項１に記載の物品自動販売機のネットワークインタラクティブシステム。
【請求項３】
前記落下物体検出モジュールは短距離のＲＦＩＤ読み取り機であり、各物品には読み取りのためのＲＦＩＤラベルユニットが設置され、物品が挟み取られたことが検出されることを特徴とする、請求項１に記載の物品自動販売機のネットワークインタラクティブシステム。
【請求項４】
前記物品自動販売機及び管理サーボ装置のルーターは有線方式であることを特徴とする、請求項１に記載の物品自動販売機のネットワークインタラクティブシステム。
【請求項５】
前記物品自動販売機及び管理サーボ装置のルーターはワイヤレス方式であり、インターネットに接続されることを特徴とする、請求項１に記載の物品自動販売機のネットワークインタラクティブシステム。